(57)【要約】【課題】従来の冷水器付冷蔵庫に設けられた水受手段であっては、勢いよく扉開閉を行なうと、上記水受手段に溜まっている水の一部が飛び出し、床、或いは据付面を汚したり損傷する可能性があった。【解決手段】回転扉の内板部に設けた冷水タンク内の水を扉正面の冷水取出口に導きコップ等で給水を受けることが出来るようにした冷蔵庫に於いて、水受手段を構成する蓋に水受部側に突出し、該水受部内から区割するフランジを備えた排水口を設けると共に傾斜面を利用して水を上記排水口に導く案内溝を複数本設け、且つ上記案内溝端部を水受部内で該フランジの高さ方向途中に接続したものである。【選択図】図６
2007147091.tif 000002
【特許請求の範囲】
【請求項１】
扉の内板部に設けた冷水タンク内の水を扉正面の冷水取出口に導きコップ等で給水を受けることが出来るようにした冷蔵庫に於いて、前記冷水取出口の鉛直方向の下方に位置して、蓋と水受部とで構成する水受手段を備え、前記蓋が、前記水受部側に突出して該水受部内を区画すると共に排水口を形成するフランジと、上記冷水取出口から当該蓋に滴下した水を上記排水口に流下させる傾斜面を有する複数本の案内溝とを有し、前記案内溝はその端部を水受部内で前記フランジの下端から高さ方向に離れたフランジ上部で連続するように形成したことを特徴とする冷蔵庫。
【請求項２】
水受手段を構成する蓋の後方に排水口を設けると共に、排水口に設けたフランジを水受部内面に近接する位置まで延長したことを特徴とする請求項１記載の冷蔵庫。
【請求項３】
扉開閉時に生じる慣性若しくはその反動に依って生じる衝突によって排水口から水が飛び出し水受手段外に飛び出さないよう排水口の大きさを設定したことを特徴とする請求項１記載の冷蔵庫。
【発明の詳細な説明】
【技術分野】
【０００１】
本発明は冷蔵庫の扉正面部に設けた冷水取出口から冷水を取り出せるようにした冷水蓋付冷蔵庫に関するものである。
【背景技術】
【０００２】
この種冷水器付冷蔵庫には例えば特許第２５８８０７４号等がある。
【０００３】
この冷水器付冷蔵庫の構成は扉を枢軸するヒンジで該扉を回動自在に冷蔵庫本体に取付けている。そしてこの回動自在の扉内板部に冷水タンクを設け、このタンク内の冷水を自吸性のポンプを使って扉正面部に設けた冷水取出口に給水するようにしている。
【０００４】
尚、上記自吸性ポンプを駆動する時には、扉正面側に設けた押釦或いはレバーを操作し、該自吸性ポンプに通電し、ポンプを駆動するものである。
【０００５】
従って使用者が冷水の供給を希望する時にはスイッチ或いはレバーを操作し、上記自吸性ポンプを駆動し、給水蛇口からコップ等に一定の水量の水を給水するものである。
【０００６】
又、この種冷水器付冷蔵庫にあっては、給水中に使用者が何かの都合でコップを外した時等、残りの水が、床或いは据付面にこぼれないよう、下方に水受手段を有していた。
【０００７】
ところがこの水受手段も上記回動する扉に取付けられている為に、この水受手段内の水が扉開閉時の衝撃で例えば、扉を予め設定した角度で止めるストッパーにぶつけた時、或いは扉を勢い良く閉め冷蔵庫本体に扉をぶつけた時等に生ずる衝撃で水受手段内の水が飛び出し、床、或いは据付面を汚したり損傷したりしていた。
【０００８】
【特許文献１】特許第２５８８０７４号
【発明の開示】
【発明が解決しようとする課題】
【０００９】
従来のこの種冷水器付冷蔵庫の構造を図９〜図１１をもって説明すると、図９は従来の冷水器付冷蔵庫の要部拡大図、図１０は図９に用いられている水受手段の正面図であり、図１１は図１０のＤ−Ｄ断面図である。
【００１０】
図に於いて、５１は冷蔵庫本体（図示せず）の前面開口部を閉塞する冷蔵室扉、この冷蔵室扉５１は枢軸用ヒンジ（図示せず）に上記冷蔵庫本体に回動自在に軸着されている。
【００１１】
５２は上記冷蔵室扉５１の正面部に設けられた冷水取出口、この冷水取出口５２は該冷蔵室扉５１の断熱壁厚を利用して形成され、通常は冷蔵室扉５１の正面板５１ａより出張らないよう設けられている。
【００１２】
５３は上記冷水取出口５２の上部に設けられた冷水蛇口、５４は冷蔵室扉５１の内板部側に設けられた冷水タンク（図示せず）から冷水を汲みあげることを指示し、自吸性ポンプ（図示せず）を駆動する押釦スイッチである。この押釦スイッチ５４を押すと一定量の冷水がコップ５５に給水されるものである。換言すると、使用者がコップ５５への給水中、何らかの都合でコップ５５を冷水取出口５２から外しても残りの冷水は冷水蛇口５３から出て水受手段に溜まると云うことである。これは何もコップ５５を途中で外した時に限らず、コップが一杯になり使用者が外した時でもポンプが惰性で回転し、わずかではあるが冷水蛇口５３から出て滴下してしまうものもある。
【００１３】
５６は上記コップ５５に受けることができなかった冷水が、床、或いは据付面に滴下し、床、或いは据付面を損傷するのを防止する水受手段である。この水受手段５６は通常冷水取出口５２の下部に図９で示す如く設けられているので、その形状、及び容量は意匠上限度が出来てしまう。
【００１４】
即ち、図からも判るようにこの水受手段５６の深さ（高さ）寸法は、意匠上限られてしまうので容量的には２００ｃｃ〜３００ｃｃとなる。また形状的には、図１０〜図１１に示す如く、凹部形状の水受手段５６の上面を簀の子状カバー５６ａで覆うものであった。冷蔵室扉５１を静かに開けたり閉めたりする程度の衝撃であれば上記簀の子状カバー５６ａであっても、凹部形状の水受手段５６内の水は簀の子状開口５６ｂより飛び出し、凹部形状の水受手段５６外に滴下することはないが、この簀の子状開口５６ｂであると勢いよく扉を開閉すると水の慣性及び扉の相手部材（ストッパー）への衝突の反動で水が激しく衝突して上記簀の子状開口５６ｂより水滴が飛び出し、床、据付面にまで飛び散ることが応々にしてあった。
【００１５】
これを図１０及び図１１を用いて説明すると、
図に於いて、凹部形状の水受手段５６内の水は、扉の静止状態では一点鎖線で示す位置にあることを例示している。この時扉の開動作が静かに行なわれれば、凹部形状の水受手段５６内の水は一点鎖線の位置に維持されるので、上記凹部形状の水受手段５６内の水が簀の子状開口５６ｂより飛び出すことはない。
【００１６】
しかし、扉が勢いよく開けられた場合には、水は慣性で留まろうとして実線で示す如くＡ部に集まり、扉が相手部材（ストッパー）に衝突して停止した瞬間、水は慣性によって点線で示すようにＢ部に移動して集まる。
【００１７】
上記Ａ部若しくはＢ部に集まった水は、更にＡ部若しくはＢ部に於いて鉛直方向に水圧がかかって上方に設けられた簀の子状開口５６ｂから飛び出し、床面或いは据付面を濡らしてしまう、長期的には床或いは据付面を損傷してしまうと云う問題が従来の冷水器付冷蔵庫にはあった。
【００１８】
本発明は、この問題を解消するために、水が簀の子状開口から飛び出さないようにすることを目的とするものである。
【課題を解決するための手段】
【００１９】
本発明は上記目的を達成するものである。
【００２０】
即ち、扉の内板部に設けた冷水タンク内の水を扉正面の冷水取出口に導きコップ等で給水を受けることが出来るようにした冷蔵庫に於いて、前記冷水取出口の鉛直方向の下方に位置して、蓋と水受部とで構成する水受手段を備え、前記蓋が、前記水受部側に突出して該水受部内を区画すると共に排水口を形成するフランジと、上記冷水取出口から当該蓋に滴下した水を上記排水口に流下させる傾斜面を有する複数本の案内溝とを有し、前記案内溝はその端部を水受部内で前記フランジの下端から高さ方向に離れたフランジ上部で連続するように形成したものであるから、慣性力で移動若しくは留まろうとする水受手段内の水の大半はフランジ及び水受部の壁と蓋で囲まれた空間内で衝突し合い打消されて、もとの水位線に戻る。
【００２１】
これによって、扉開閉時に水受手段内の水が慣性力等で水受手段から飛び出すことを防止し、延いては床面或いは据付面等を濡らすことを防止し、長期的には損傷に至ることを防止できるものである。
【００２２】
又、水受手段の蓋の後方（扉の奥側方向）に排水口を設けると共に、排水口に設けたフランジを水受部内面に近接する位置まで延長したものであるから、筒状排水口より飛び出る水滴があったとしても水受手段の奥に位置していることと、排水口をもつ室（空間）の容積が小さいことにより、その水滴が凹部形状の水受手段の外に飛び出すことを防止できるものである。又、筒状排水口は水受手段内でほぼ独立していることより、この部分の水量は少なく、しかも水の動きが小さい為水位が急激に上がらず、よって、床面或いは据付面等を濡らすことを防止し、延いては損傷することを防止できるものである。
【００２３】
又、扉開閉時に生じる水の慣性若しくは扉衝突の衝撃（反動）によって排水口から水が飛び出して水受手段外に飛び出さないように、排水口の大きさを小さく設定した。これによって、水の飛び出す可能性のある排水口内の水量は少なく、しかも水の動きが小さくなる為、扉開閉時の衝撃で水位線が極部的に上昇して水受手段より水が飛び出して、床、或いは据付面等を損傷することがないものである。
【発明の効果】
【００２４】
本発明は以上説明した如く回転扉の内板部に設けた冷水タンク内の水を扉正面の冷水取出口に導きコップ等で給水を受けることが出来るようにした冷蔵庫に於いて、水受手段を構成する蓋に水受部側に突出し、該水受部内を区割するフランジを備えた排水口を設けると共に傾斜面を利用して水を上記排水口に流下させる案内溝を複数本設け、且つ上記案内溝端部を水受部内で該フランジの高さ方向途中に接続したものであるから慣性力で移動する水受手段内の水の大半はフランジ及び水受部の壁と蓋で囲まれた空間内で衝突し合い打消されて、もとの水位線に戻る。このことにより扉開閉時水受手段内の水が慣性力等を受け水受手段より飛び出し、床、或いは据付面等を損傷することがなくなるものである。
【発明を実施するための最良の形態】
【００２５】
本発明の詳細を図に示す実施例で説明する。
【実施例１】
【００２６】
図１は本発明を備えた冷蔵庫の正面図であり、図２は図１の要部縦断面図であり、図３は図２のＰ部拡大説明図であり、図４は図３のコップを省略したＡ−Ａ断面図で、（ａ）は扉開動作時の水の動きを示し、（ｂ）は扉閉動作時の水の動きを示す図であり、図５は図３の排水口を奥側に移した例を示す図であり、図６は図５のＢ−Ｂ断面図である。
【００２７】
図に於いて、１は冷蔵庫本体、この冷蔵庫本体１は内部に冷凍室と冷蔵室とを有している。２は上記冷凍室の前面開口部を閉塞する冷凍室扉であり、３は冷蔵室の前面開口部を閉塞する冷蔵室扉である。
【００２８】
４は上ヒンジであり、５は中ヒンジであり、６は冷蔵室扉３を枢軸する下ヒンジである。上記冷凍室扉２、冷蔵室扉３はこれらヒンジ４、５、６をもって図に示す如く冷蔵庫本体１に回動自在に枢軸されている。又、上記扉２、３は図には示してないが、ストッパー（図示せず）を有し予め設定された開き角度で止まるよう構成されている。
【００２９】
７、８は上記冷凍室扉２、冷蔵室扉３を開放する時、使用者が持つハンドルであり、７が冷凍室扉用ハンドルであり、８が冷蔵室扉用ハンドルである。使用者はこのハンドルをもって扉開閉を行なうものであるが、開扉時にはこのハンドルをストッパー（図示せず）に扉が当接する前に手を放し、扉閉時には完全閉前に手を放す。このことにより上記扉は残りの軌跡を惰性で動くこととなるので大きな衝撃が発生するものである。
【００３０】
９は上記冷蔵室扉３の正面に設けられた冷水取出口。使用者はこの冷水取出口９に図に示す如くコップ１０を置いて押釦１１を押すと、コップ１０内に冷水の供給を受けることが出来るものである。
【００３１】
次に図２に於いて、１２は冷水タンク。この冷水タンク１２は冷蔵室扉３の内板３ａが作るポケット等に収納されている。この冷水タンク１２は、家族が一日に飲む容量例えば３〜５Ｌの容量をもっている。
【００３２】
１３は自吸性のポンプ。このポンプ１３が冷水タンク１２内の冷水を汲みあげ冷水取出口９に供給する。この自吸性ポンプ１３を駆動させるのが押釦スイッチ１４である。即ち、この押釦スイッチ１４を押すと、例えば自吸性ポンプ１３を１０秒前後駆動し、２００ｃｃ（コップ一杯）分を冷水取出口９の蛇口１５よりコップ１０に供給する。
【００３３】
１６は冷水取出口９の下部に設けられた凹部形状の水受手段。この水受手段１６上に図に示す如く先のコップ１０は置かれる。又、この水受手段１６は２００ｃｃ程度の水が収容出来るよう構成されている。即ち、この水受手段１６の幅、奥行は冷水取出口９に合っている。そして深さは約２０ｍｍ程度である。換言すると、この水受手段１６は幅１８０ｍｍ奥行６０ｍｍ深さ２０ｍｍ程度で約２００ｃｃの水を収容することが出来るよう作られている。
【００３４】
次に図３をもって上記水受手段１６に付いて説明する。この水受手段１６は蓋１６ａと水受部１６ｂから構成されている。そして先の２００ｃｃの水を収容するのはこの水受部１６ｂである。
【００３５】
１６ｃは上記蓋１６ａの外周縁部に設けられた立ち上り辺で蓋１６ａに滴下した水を床等に落さないようにしている。
【００３６】
１７は蓋１６ａに設けられた排水口で、水受手段１６内に滴下した水滴を水受部１６ｂに導く、又この排水口１７の周囲には水受部１６ｂの底部１６ｄ側に達する位に延びるフランジ１８が図４に示す如く形成されている。
【００３７】
１９は、排水口１７を中心に放射状に設けられた案内溝。この案内溝１９は、図３にも示す如く、複数本設けられている。この案内溝１９は水受手段１６の蓋１６ａに滴下した水滴を排水口１７に流下させる。また上記案内溝１９の排水口１７側の端部は、フランジ１８に連続するように形成されている。
【００３８】
通常上記排水口１７は水受手段１６の幅、奥行とも中央に設けられるので、丁度排水口１７の上方にコップ1０が位置する。又、上記フランジ１８の先端Ｅは水受部１６ｂの底部１６ｄに近接している。
【００３９】
これにより水受手段１６内の水は、冷蔵室扉３開閉時、次のように動くこととなる。尚、静止状態における水受手段１６内には、一点鎖線で示す水量が溜まっているものとして説明する。図４の（ｂ）は冷蔵室扉３を矢印Ｒで示す方向に閉めた時の動作を示す。即ち、冷蔵室扉３を矢印Ｒで示す方向に閉めると、水受手段１６内の水は慣性で一点鎖線の状態の水位が実線で示すように変る。図面上Ａ、Ｂ、Ｃ室の図に於いて向かって左側の壁にぶつかる。この時Ａ、Ｂ室の水はほぼ閉塞された空間内に存在することにより飛び出すことはない。
【００４０】
排水口１７即ちＣ室内にある水はフランジ１８で囲まれた空間内でこれまた図に於いて向かって左側壁に実線で示す如く集まるが、一点鎖線の水位線が実線に変る。距離がフランジ１８内で囲まれた距離例えば２０ｍｍであること、Ｃ室内の容積が小さいこと等もあって排水口１７より飛び出る水滴は従来に比較して少ない水量となる。
【００４１】
勿論上記動作中、Ａ、Ｂ室に於いて案内溝１９の傾斜面にぶつかる水も出てくるが、この傾斜面下部にもフランジ１８が設けられていることより、その水の動きもフランジ１８によって規制されるものである。
【００４２】
このようにすることにより例え飛び出た水滴があっても、それは水受手段１６内にとどまり水受手段１６外に飛び出ることはないものである。即ち、この飛び出た水は水受手段１６の立上り辺１６ｃを乗り超えることなく排水口17に戻される。又、慣性でＡ、Ｂ、Ｃ室に実線で示す如く集まった水は次に壁面（フランジ等）に衝突した反動で矢印（ａ）（ｂ）（ｃ）で示す如く動く。この時にあってもＡ室、Ｂ室内の水はほぼ閉塞された状態にあるので、この部分での水飛びはない。
【００４３】
一方、Ｃ室内の水は当初実線の位置にあり、次いで矢印（ｃ）側に移るが、この部分の水量は先にも説明した如くほぼＣ室内に限られることより少ない量であり、且つ排水口１７内の移動となるのでその移動する距離が小さいこと等より、これまた大きく飛び出すことはないものである。
【００４４】
換言すると、本実施例の場合水受手段１６内に入る水の入口を従来の簀の子状でなく排水口１７、１個とし、案内溝１９で水受手段１６にコップ１０側より滴下した水を流下させるようにし、排水口１７以外はほぼ閉塞された空間としたので、この室Ａ、Ｂからの水飛びはなくなり、排水口１７（Ｃ室）だけの水飛びとなる。
【００４５】
この水飛びも排水口１６のまわりに設けたフランジ１８の先端Ｅが水受部１６ｂの底部１６ｄに近接していることより、この室Ａ、Ｂもほぼ独立した部屋となり、このフランジ１８で囲まれた排水口１７（Ｃ室）だけの水処理と云うことになる。
【００４６】
排水口１７の大きさを例えば直径１０〜２０ｍｍの大きさとすることにより、扉移動時のこの部分室、（Ｃ）の水の動きは押えられ従来の如く、床、或いは据付面を汚したり損傷する程の水飛びはなく飛んだとしても水受手段１６内で済むものである。
【００４７】
図４（ａ）は先に説明した図４（ｂ）とは逆に扉を開いた時の水受手段１６内の水の動きを説明したものであるが、水受手段１６内の水の動きは図４（ｂ）とまったく逆になるだけで動作は同じなので、その説明は省略する。
【００４８】
次に図５、図６に於いて、このものは図４と異なり排水口１７を水受手段１６の奥側に設けたものである。
【００４９】
換言すると、図５に二点鎖線（仮想線）で示したコップ１０の中心位置より排水口１７が奥側に設けられていることを示している。これは冷蔵室扉３の開閉時の衝撃（即ち、冷蔵室扉３を所定の角度で止めるストッパー（図示せず）に冷蔵室扉３が当接(衝突)した時の衝撃であり冷蔵室扉３を閉めた時には冷蔵庫本体１に冷蔵室扉３がぶつかった時の衝撃）で排水口１７から、飛び出る水滴があっても、図６の矢印で示す如く水受手段１６内とする有効な手段である。
その他冷蔵室扉３開閉時の相手部材に衝突（当接）した衝撃で水受手段１６内を動く水の動きは図４の（ａ）（ｂ）と同じである。
【００５０】
尚、案内溝１９をフランジ１８の下端でなく上部で連続するように形成している理由は、水の慣性或いは反動の衝撃で動く水が、案内溝１９と連続する位置のフランジ１８の下端を越えてＡ、Ｂ室から排水口１７の設けられたＣ室に流動してしまうのを防止する為である。したがって、案内溝１９とフランジ１８とをして形成するのは、フランジ１８の先端Ｅ（下端）から離れたフランジ１８上部の位置で連続するように形成することが得策である。
【実施例２】
【００５１】
次に図７、図８に於いて、第２の実施例に付いて説明する。
【００５２】
図７は、図３とは異なる実施例を示す図、図８は図７のＣ−Ｃ断面図である。
【００５３】
図に於いて、１６は水受手段、１６ａは蓋、１６ｂは水受部、１６ｃは立上り辺、１６ｄは水受部１６ｂの底部、１８は排水口１７の周囲に設けたフランジ、Ｅはフランジ１８の先端を示す。
【００５４】
１９は案内溝を示す。２０は第２の排水口を示す。この第２の排水口２０は実施例１の丸形と異なり長方形に作られている。そしてこの排水口２０の短辺Ｌ１は５〜１０ｍｍである。勿論この排水口２０周囲にも、フランジ１８が設けられており、その先端Ｅは水受部１６ｄの底部１６ｄに近接している。従って、このフランジ１８によって区画されるＡ、Ｂ、Ｃ室は、ほぼ独立した室とされている。
【００５５】
このことによって、扉が閉じられた静止状態のときに、一点鎖線の状態の水は、扉開時（予め設定したストッパーに当接（衝突）した瞬間）には、図８で示す如く実線で示す如く変る。尚、慣性で実線で示すようになった水は、反動で次に矢印（ａ）（ｂ）（ｃ）で示す如く動く。この時Ａ室・Ｂ室はフランジ１８によって区画され、ほぼ閉塞されているから、水飛びはない。排水口２０の位置するＣ室内の一部の水は、蓋１６ａの上方に飛び出るものもあるが、上記したようにＬ１寸法が５〜１０ｍｍと小さいため、慣性或いは反動で水が壁に衝突してもその水の勢いは大きくならず排水口２０から飛び出る水滴の量は非常に小さくなる。
【００５６】
従って、排水口２０から飛び出る水滴で、床、据付面を汚したり損傷したりすることがなくなるものである。２１は第２の案内溝。この第２の案内溝２１は排水口２０の前後方向に複数本設けられ、水受手段１６に落した水滴を排水口２０に導くものである。
【００５７】
以上説明した如き構成を有するものであるから、本発明に於いては次の如き効果が得られるものである。
【００５８】
回転扉の内板部に設けた冷水タンク内の水を扉正面の冷水取出口に導きコップ等で給水を受けることが出来るようにした冷蔵庫に於いて、水受手段を構成する蓋に水受部側に突出し、該水受部内を区割するフランジを備えた排水口を設けると共に傾斜面を利用して水を上記排水口に導く案内溝を複数本設け、且つ上記案内溝端部を水受部内で該フランジの高さ方向途中に接続したものであるから、慣性力で移動する水受手段内の水の大半はフランジ及び水受部の壁と蓋で囲まれた空間内で衝突し合い打消されて、もとの水位線に戻る。これにより、扉開閉時に水受手段内の水が慣性力等を受けても、水受手段から飛び出すのを防止し、床、或いは据付面等を損傷するのを防止できる。
【００５９】
又、水受手段を構成する蓋の後方に排水口を設けると共に、排水口に設けたフランジを水受部内面に近接する位置まで延長した。これにより、筒状排水口から飛び出る水滴があったとしても、水受手段の奥に位置しているので、その水滴が水受手段の外に飛び出すことが防止できる。又、筒状排水口は水受手段内でほぼ独立している。これにより、この部分の水位が急激に上昇することが防止され、床、或いは据付面等を損傷することがない。
【００６０】
又、扉開閉時に生じる水の慣性若しくはその反動に依って生じる衝突によって排水口から水が飛び出すのを防止し、水受手段外に飛び出さないよう排水口の大きさを設定した。このため、扉開閉時の衝撃で水位線が極部的に上昇しても、水受手段から水が飛び出すのを防止でき、床、或いは据付面等を損傷することが防止できる。
【図面の簡単な説明】
【００６１】
【図１】本発明を備えた冷蔵庫の正面図。
【図２】図１要部縦断面図。
【図３】図２のＰ部拡大説明図。
【図４】図３のコップを省略したＡ−Ａ断面図で（ａ）は扉開時の水の動きを示し（ｂ）は扉閉時の水の動きを示す図。
【図５】図３の排水口を奥側に移した例を示す図。
【図６】図５のコップを省略したＢ−Ｂ断面図。
【図７】図３とは異なる実施例を示す図。
【図８】図７のＣ−Ｃ断面図。
【図９】従来の冷水器付冷蔵庫の要部拡大図。
【図１０】図９に用いられている水受手段の正面図。
【図１１】図１０のＤ−Ｄ断面図。
【符号の説明】
【００６２】
１…冷蔵庫本体、２…冷凍室扉、３…冷蔵室扉、３ａ…内板、４…上ヒンジ、５…中ヒンジ、６…下ヒンジ、７…冷凍室扉用ハンドル、８…冷蔵室扉用ハンドル、９…冷水取出口、１０…コップ、１１…押釦、１２…ポケット、１３…自吸性ポンプ、１４…押釦スイッチ、１５…蛇口、１６…水受手段、１６ａ…蓋、１６ｂ…水受部、１６ｃ…立上り辺、１６ｄ…底部、１７…排水口、１８…フランジ、Ｅ…先端、１９…案内溝、２０…第２の排水口。
【図１】
2007147091.tif 000003
【図２】
2007147091.tif 000004
【図３】
2007147091.tif 000005
【図４】
2007147091.tif 000006
【図５】
2007147091.tif 000007
【図６】
2007147091.tif 000008
【図７】
2007147091.tif 000009
【図８】
2007147091.tif 000010
【図９】
2007147091.tif 000011
【図１０】
2007147091.tif 000012
【図１１】
2007147091.tif 000013